(57)【特許請求の範囲】
【請求項１】
電源供給装置、マイクロ制御板、ＩＳＤＢ制御板から構成された二段式電源制御を具えた液晶テレビ装置において、
液晶テレビ装置が必要とする電源を提供する電源供給装置と、
トリガピンを具え、且つ電源供給装置と電気接続するマイクロ制御板と、
マイクロ制御板と電気接続し、且つマイクロ制御板のトリガピンをトリガして設定電位を送出するＩＳＤＢ制御板を含み、
そのうち、マイクロ制御板がオンであるオンモードからマイクロ制御板をオフにしてセーブモードへ進み、電源の消耗を節約する時、マイクロ制御板のトリガピンが該ＩＳＤＢ制御板の該設定電位にトリガされると、マイクロ制御板は待機モードに進入することを特徴とする二段式電源制御を具えた液晶テレビ装置。
【請求項２】
請求項１記載の二段式電源制御を具えた液晶テレビ装置において、前記ＩＳＤＢ制御板は、更にタイマーを含むことを特徴とする二段式電源制御を具えた液晶テレビ装置。
【請求項３】
請求項２記載の二段式電源制御を具えた液晶テレビ装置において、前記ＩＳＤＢ制御板のタイマーは、設定時間が終了すると、ＩＳＤＢ制御板が予め設定した電位をマイクロ制御板のトリガピンへ送出することを特徴とする二段式電源制御を具えた液晶テレビ装置。
【請求項４】
請求項１記載の二段式電源制御を具えた液晶テレビ装置において、前記ＩＳＤＢ制御板は、ＲＳ−２３２インターフェイスを通じてマイクロ制御板へ接続することを特徴とする二段式電源制御を具えた液晶テレビ装置。
【請求項５】
請求項４記載の二段式電源制御を具えた液晶テレビ装置において、前記ＲＳ−２３２インターフェイスは、受信端（Ｒｘ）、伝送端(Ｔｘ)、及び信号制御端を含むことを特徴とする二段式電源制御を具えた液晶テレビ装置。
【請求項６】
請求項１記載の二段式電源制御を具えた液晶テレビ装置において、前記マイクロ制御板は、その操作モードにオンモード、待機モード、セーブモードを含むことを特徴とする二段式電源制御を具えた液晶テレビ装置。
【請求項７】
請求項１記載の二段式電源制御を具えた液晶テレビ装置において、前記液晶テレビ装置は、更にリモコンを含むことを特徴とする二段式電源制御を具えた液晶テレビ装置。
【請求項８】
請求項１記載の二段式電源制御を具えた液晶テレビ装置において、前記液晶テレビ装置は、更に発射端を含み、この発射端はマイクロ制御板に電気接続することを特徴とする二段式電源制御を具えた液晶テレビ装置。
【請求項９】
請求項１記載の二段式電源制御を具えた液晶テレビ装置において、前記予め設定した電位は、正電位であることを特徴とする二段式電源制御を具えた液晶テレビ装置。
【発明の詳細な説明】
【技術分野】
【０００１】
本発明は、一種の総合放送サービス（ＩＳＤＢ）システムの液晶テレビ装置に関するもので、特に二段式電源制御を具えた総合放送サービスシステムの液晶テレビ装置に関するものである。
【背景技術】
【０００２】
総合放送サービス（Integrated Services Digital Broadcasting, ＩＳＤＢ）は、日本放送協会（ＮＨＫ）の放送技術研究所(Science & Technical Research Laboratories、ＳＴＲＬ) が1994年に開発した完全デジタル化のテレビ放送システムである。そのうち、番組の内容の制作、編集、伝送及び受信等の過程すべてがデジタル化している。この総合放送サービス（ＩＳＤＢ）は、多重チャンネルテレビ番組、マルチメディアサービス及びその他文字映像等を含むデータの放送システムである。
【０００３】
総合放送サービス（ＩＳＤＢ）の発展は主に、21世紀のデジタル化放送とマルチメディアの時代に対応し、総合放送サービス（ＩＳＤＢ）が使用するＭＰＥＧ−２デジタル信号圧縮コーディングとマルチ工業技術によって、衛星や有線、地上無線等異なる伝送メディア放送を通すことができる。現在の成果として、地上放送のＩＳＤＢーＴシステムがある。このＩＳＤＢ−Ｔシステムは、1997年11月12日から14日正式に公開され、1998年11月11日東京地区に於いて、試験放送が開始された。これは、現行のＮＴＳＣアナログテレビシステムと同じ６ＭＨｚバンド幅、及び525 本の連続式スキャン(Progressive Scanning)の映像フォーマットを使用し、高画質テレビ（ＨＤＴＶ）番組を放送するだけでなく、二重映像防止と受信移動の機能が現行のアナログテレビシステムよりはるかに勝っており、日本では2003年に地上デジタル放送を正式に開始し、遅くとも2012年にはアナログテレビ放送を終了する予定である。
【０００４】
前述の全デジタル化テレビの潮流に対応するため、液晶テレビ（ＬＣＤ  ＴＶ）にＩＳＤＢ制御板を整合してデジタルテレビ機能を高めることが重要なポイントである。一般の液晶テレビの電源制御はただ機械の電源のオンとオフ二種の状態しかない。つまり液晶テレビを消した時、セーブ（power saving）状態に入り、反対に液晶テレビをつけた時は、オンの状態に入る。しかしＩＳＤＢはセーブ状態で自動的に予約録画動作やデータのダウンロード動作を実行できない。このためＩＳＤＢを液晶テレビに整合しても、液晶テレビがオフ状態の場合、自動的に予約録画やデータダウンロードの機能が実行できない。このように公知の液晶テレビにはまだ数々の欠点があり、改善が必要である。
【発明の開示】
【発明が解決しようとする課題】
【０００５】
本発明の主な目的は、二段式電源制御を具えた液晶テレビ装置を提供することによって、総合放送サービス（ＩＳＤＢ）上で、予約録画、及びデジタルテレビ番組表のダウンロード機能が実行できる。
【０００６】
本発明の特色として、二段式電源制御を具えた液晶テレビ装置を提出し、それは電源供給装置、マイクロ制御板、ＩＳＤＢ制御板を含む。電源供給装置は液晶テレビ装置に必要な電源を供給する。マイクロ制御板は、トリガピンを設置し、且つ電源供給装置と電気接続する。ＩＳＤＢ制御板は、マイクロ制御板と電気接続し、且つマイクロ制御板のトリガピンをトリガして設定電位を送出する。
【０００７】
そのうち、マイクロ制御板をオフにして、セーブモードへ進み、電源の消費を節約する時、例としてマイクロ制御板のトリガピンがトリガされた時、マイクロ制御板は待機モードへ進む。
【０００８】
上述のマイクロ制御板の操作モードは、オンモード、待機モード、セーブモードを含む。これによって、オンモードの時にはテレビを観賞し、待機モードの時には、予約録画もしくはデジタル番組情報をダウンロードできる。またセーブモードの時には、電源の消耗を節約する。
【０００９】
更にＩＳＤＢ制御板には、更にタイマーが含まれる。これによって、ユーザーはこのタイマーで、予約録画、もしくはデジタル番組情報のダウンロード機能を実行することを可能にする。
【課題を解決するための手段】
【００１０】
請求項１の発明は、電源供給装置、マイクロ制御板、ＩＳＤＢ制御板から構成された二段式電源制御を具えた液晶テレビ装置において、
液晶テレビ装置が必要とする電源を提供する電源供給装置と、
トリガピンを具え、且つ電源供給装置と電気接続するマイクロ制御板と、
マイクロ制御板と電気接続し、且つマイクロ制御板のトリガピンをトリガして設定電位を送出するＩＳＤＢ制御板を含み、
そのうち、マイクロ制御板がオンであるオンモードからマイクロ制御板をオフにしてセーブモードへ進み、電源の消耗を節約する時、マイクロ制御板のトリガピンが該ＩＳＤＢ制御板の該設定電位にトリガされると、マイクロ制御板は待機モードに進入することを特徴とする二段式電源制御を具えた液晶テレビ装置としている。
請求項２の発明は、請求項１記載の二段式電源制御を具えた液晶テレビ装置において、前記ＩＳＤＢ制御板は、更にタイマーを含むことを特徴とする二段式電源制御を具えた液晶テレビ装置としている。
請求項３の発明は、請求項２記載の二段式電源制御を具えた液晶テレビ装置において、前記ＩＳＤＢ制御板のタイマーは、設定時間が終了すると、ＩＳＤＢ制御板が予め設定した電位をマイクロ制御板のトリガピンへ送出することを特徴とする二段式電源制御を具えた液晶テレビ装置としている。
請求項４の発明は、請求項１記載の二段式電源制御を具えた液晶テレビ装置において、前記ＩＳＤＢ制御板は、ＲＳ−２３２インターフェイスを通じてマイクロ制御板へ接続することを特徴とする二段式電源制御を具えた液晶テレビ装置としている。
請求項５の発明は、請求項４記載の二段式電源制御を具えた液晶テレビ装置において、前記ＲＳ−２３２インターフェイスは、受信端（Ｒｘ）、伝送端(Ｔｘ)、及び信号制御端を含むことを特徴とする二段式電源制御を具えた液晶テレビ装置としている。
請求項６の発明は、請求項１記載の二段式電源制御を具えた液晶テレビ装置において、前記マイクロ制御板は、その操作モードにオンモード、待機モード、セーブモードを含むことを特徴とする二段式電源制御を具えた液晶テレビ装置としている。
請求項７の発明は、請求項１記載の二段式電源制御を具えた液晶テレビ装置において、前記液晶テレビ装置は、更にリモコンを含むことを特徴とする二段式電源制御を具えた液晶テレビ装置としている。
請求項８の発明は、請求項１記載の二段式電源制御を具えた液晶テレビ装置において、前記液晶テレビ装置は、更に発射端を含み、この発射端はマイクロ制御板に電気接続することを特徴とする二段式電源制御を具えた液晶テレビ装置としている。
請求項９の発明は、請求項１記載の二段式電源制御を具えた液晶テレビ装置において、前記予め設定した電位は、正電位であることを特徴とする二段式電源制御を具えた液晶テレビ装置としている。
【発明の効果】
【００１１】
本発明の二段式電源制御を具えた液晶テレビ装置は、総合放送サービス（ＩＳＤＢ）上で、予約録画、及びデジタルテレビ番組表のダウンロードが実行できるという利点がある。
【発明を実施するための最良の形態】
【００１２】
図１、図２に示すとおり、液晶テレビ装置１は、電源供給装置１１、マイクロ制御板１２、ＩＳＤＢ制御板１３、リモコン１４及び発射端１５を含む。本実施例中、液晶テレビ装置１はＤＶＤビデオレコーダー３と合わせて使用する。そのうち、ＤＶＤビデオレコーダー３は、受信端３１を含む。
【００１３】
図１に示すとおり、電源供給装置１１は、液晶テレビ装置１が必要とする電源である。マイクロ制御板１２はトリガピン１２１及びＲＳ−２３２インターフェイス１２２を具える。またマイクロ制御板１２は、電源供給装置１１と電気接続する。ＲＳ−２３２インターフェイス１２２は、受信端１２３（Ｒｘ）、伝送端１２４（Ｔｘ）、及び信号制御端１２５を含む。本発明中、マイクロ制御板１２の操作モードは、オンモード、待機モード、セーブモードを含む。
【００１４】
本発明中、ＩＳＤＢ制御板１３は、マイクロ制御板１２へ電気接続し、且つ制御板１２のトリガピン１２１をトリガして設定電位を送出する。ＩＳＤＢ制御板１３はタイマー１３１、ＲＳ−２３２インターフェイス１３２を含み、このＲＳ−２３２インターフェイス１３２には、受信端１３３、伝送端１３４、信号制御端１３５が設置され、ＩＳＤＢ制御板１３は、ＲＳ−２３２インターフェイス１３２を通してマイクロ制御板１２に接続する。そのうち、マイクロ制御板１２の受信端１２３は、ＩＳＤＢ制御板１３の伝送端１３４に接続する。マイクロ制御板１２の伝送端１２４は、ＩＳＤＢ制御板１３の受信端１３３に接続し、マイクロ制御板１２の信号制御端１２５はＩＳＤＢ制御板１３の信号制御端１３５に接続する。リモコン１４は、無線で液晶テレビ装置１のマイクロ制御板１２の動作を制御する。発射端１５は、マイクロ制御板１２と電気接続する。
【００１５】
図３に示すのは、本発明実施例のフローチャートである。先ず、ＩＳＤＢ制御板１３のタイマー１３１を設定し、更に液晶テレビ装置１をオフ状態にする。マイクロ制御板１２はセーブモードへ進み、電源の消費を節約する。ユーザーがＩＳＤＢ制御板１３のタイマー１３１を設定し、そのタイマー１３１が終了すると、ＩＳＤＢ制御板１３は予め設定した電位をマイクロ制御板１２のトリガピン１２１に送出し、更にマイクロ制御板１２のトリガピン１２１をトリガし、マイクロ制御板１２は待機モードへ進む。更にＩＳＤＢ制御板１３は番組データをＲＳ−２３２インターフェイス１３２経由でマイクロ制御板１２へ伝送し、続いて発射端１５からＤＶＤビデオレコーダー３の受信端３１へ出力する。また番組データをＤＶＤビデオレコーダー３へ送出して録画を選択するか、もしくはデジタルテレビ番組表をダウンロードする。本実施例中、ＩＳＤＢ制御板１３がマイクロ制御板１２のトリガピン１２１へ送出する設定電位は、正電位である。
【００１６】
上述中、マイクロ制御板１２の動作が待機モードの時に、リモコン１４が電源を始動すると、マイクロ制御板１２は即座にオンモードに入り、液晶テレビ装置１は正常にテレビ番組を視聴できる。
【図面の簡単な説明】
【００１７】
【図１】本発明の実施例システムアーキテクチャー図である。
【図２】本発明の実施例の表示図である。
【図３】本発明の実施例のフローチャートである。
【符号の説明】
【００１８】
１        液晶テレビ装置
１１        電源供給装置
１２        マイクロ制御板
１２１        トリガピン
１２２        ＲＳ−２３２インターフェイス
１２３        受信端
１２４        伝送端
１２５        信号制御端
１３        ＩＳＤＢ制御板
１３１        タイマー
１３３        受信端
１３５        信号制御端
１４        リモコン
１５        発射端
３        ＤＶＤビデオレコーダー
３１        受信端
【図１】
0004521370.tif 000002
【図２】
0004521370.tif 000003
【図３】
0004521370.tif 000004